(57)【特許請求の範囲】
【請求項１】
ロールペーパーを回転自在に保持するホルダー本体部と、前記ホルダー本体部に上下方向に揺動自在に設けられ、前記ロールペーパーの上側を覆うカバー部と、を備え、繰り出された前記ロールペーパーが前記カバー部の先端により切断されるロールペーパーホルダーであって、
前記カバー部には開口部が設けられ、この開口部には、前記ロールペーパーを繰り出すための繰出し用ローラーが配設され、前記繰出し用ローラーは、前記ロールペーパーの外周面に支持されるとともに、前記カバー部に対して回転自在に且つ斜め方向に移動自在に構成され、前記繰出し用ローラーの両端部には一対の支持軸部が設けられ、前記カバー部には、前記一対の支持軸部がそれぞれ移動自在に受け入れられる一対の支持受け部が設けられ、前記一対の支持受け部はそれぞれ前記カバー部に対して斜め方向に延びており、
前記繰出し用ローラーを所定方向に回転させると、前記一対の支持軸部がそれぞれ前記一対の支持受け部に沿って相対的に移動されることにより、前記カバー部が上方向に揺動されてその先端が前記ロールペーパーの外周面より離れ、この状態で前記ロールペーパーが前記所定方向と反対方向に回転されることを特徴とするロールペーパーホルダー。
【請求項２】
前記一対の支持受け部はそれぞれ、前記カバー部に対して４０〜６０°の角度で延びていることを特徴とする請求項１に記載のロールペーパーホルダー。
【請求項３】
ロールペーパーを回転自在に保持するホルダー本体部と、前記ホルダー本体部に上下方向に揺動自在に設けられ、前記ロールペーパーの上側を覆うカバー部と、を備え、繰り出された前記ロールペーパーが前記カバー部の先端により切断されるロールペーパーホルダーであって、
前記カバー部には開口部が設けられ、この開口部には、前記ロールペーパーを繰り出すための繰出し用ローラーが配設され、前記繰出し用ローラーは、前記ロールペーパーの外周面に支持されるとともに、前記カバー部に対して回転自在に且つ斜め方向に移動自在に構成され、前記繰出し用ローラーの両端部には一対の支持軸部が設けられ、前記カバー部には、前記一対の支持軸部がそれぞれ移動自在に受け入れられる一対の第１支持受け部及び一対の第２支持受け部が設けられ、前記一対の第１支持受け部はそれぞれ、前記カバー部の基端方向に且つ前記カバー部に対して斜め下方に延び、また前記一対の第２支持受け部はそれぞれ、前記カバー部の先端方向に且つ前記カバー部に対して斜め下方に延び、前記第１及び第２支持受け部の各上端部は相互に連通されており、
前記繰出し用ローラーを後方向に回転させると、前記一対の支持軸部がそれぞれ前記一対の第１支持受け部に沿って相対的に移動されることにより、前記カバー部が上方向に揺動されてその先端が前記ロールペーパーの外周面より離れ、この状態で前記ロールペーパーが前方向に回転され、また、前記繰出し用ローラーを前方向に回転させると、前記一対の支持軸部がそれぞれ前記一対の第２支持受け部に沿って相対的に移動されることにより、前記カバー部が上方向に揺動されてその先端が前記ロールペーパーの外周面より離れ、この状態で前記ロールペーパーが後方向に回転されることを特徴とするロールペーパーホルダー。
【請求項４】
前記一対の第１支持受け部及び前記一対の第２支持受け部はそれぞれ、前記カバー部に対して４０〜６０°の角度で延びていることを特徴とする請求項３に記載のロールペーパーホルダー。
【発明の詳細な説明】
【技術分野】
【０００１】
本発明は、ロール状に巻かれたロールペーパーを繰り出して切断するためのロールペーパーホルダーに関する。
【背景技術】
【０００２】
例えばトイレ内の壁面には、ロールペーパーホルダーが取り付けられている。このロールペーパーホルダーは、ロールペーパー（所謂、トイレットペーパー）を回転自在に保持するホルダー本体部と、ホルダー本体部に揺動自在に設けられ、ロールペーパーの上側を覆うカバー部と、を備えている。ロールペーパーを使用する際には、ロールペーパーの先端部を手指で摘んで手前方向に繰り出し、繰り出されたロールペーパーをカバー部の先端で切断するが、このように切断すると、ロールペーパーの先端部はカバー部の裏側に隠れてしまうようになる。このため、次にロールペーパーを使用する際には、カバー部を手で持ち上げたり、ロールペーパーを手で回転させたりするなどして、ロールペーパーの先端部を探さなければならず、大変煩わしいものであった。
【０００３】
そこで、近年、ロールペーパーを容易に繰り出すことのできるロールペーパーホルダーが提案されている（例えば、特許文献１参照）。このロールペーパーホルダーでは、カバー部に開口部が設けられ、この開口部には、ローラーが回転自在に配設されている。ローラーはロールペーパーの外周面に支持されており、このローラーを手でロールペーパーの外周面に押し付けながら所定方向に回転させることによって、ロールペーパーが上記所定方向と反対方向に回転される。これにより、ロールペーパーの先端部が垂れ下がるようになり、ロールペーパーの先端部を手指で容易に摘むことができる。
【先行技術文献】
【特許文献】
【０００４】
【特許文献１】実開平５−７２２９４号公報
【発明の概要】
【発明が解決しようとする課題】
【０００５】
しかしながら、特許文献１に記載のロールペーパーホルダーでは、カバー部の先端がロールペーパーの外周面に常時接触されているので、ローラーをロールペーパーの外周面に押し付けながら回転させた際に、カバー部の先端によってロールペーパーに抵抗負荷が作用するようになる。このため、ロールペーパーをスムーズに回転させることができず、使い勝手の良いものとは言えなかった。
【０００６】
本発明の目的は、繰出し用ローラーによってロールペーパーをスムーズに回転させることができるロールペーパーホルダーを提供することである。
【課題を解決するための手段】
【０００７】
本発明の請求項１に記載のロールペーパーホルダーでは、ロールペーパーを回転自在に保持するホルダー本体部と、前記ホルダー本体部に上下方向に揺動自在に設けられ、前記ロールペーパーの上側を覆うカバー部と、を備え、繰り出された前記ロールペーパーが前記カバー部の先端により切断されるロールペーパーホルダーであって、
前記カバー部には開口部が設けられ、この開口部には、前記ロールペーパーを繰り出すための繰出し用ローラーが配設され、前記繰出し用ローラーは、前記ロールペーパーの外周面に支持されるとともに、前記カバー部に対して回転自在に且つ斜め方向に移動自在に構成され、前記繰出し用ローラーの両端部には一対の支持軸部が設けられ、前記カバー部には、前記一対の支持軸部がそれぞれ移動自在に受け入れられる一対の支持受け部が設けられ、前記一対の支持受け部はそれぞれ前記カバー部に対して斜め方向に延びており、
前記繰出し用ローラーを所定方向に回転させると、前記一対の支持軸部がそれぞれ前記一対の支持受け部に沿って相対的に移動されることにより、前記カバー部が上方向に揺動されてその先端が前記ロールペーパーの外周面より離れ、この状態で前記ロールペーパーが前記所定方向と反対方向に回転されることを特徴とする。
【０００８】
また、本発明の請求項２に記載のロールペーパーホルダーでは、前記一対の支持受け部はそれぞれ、前記カバー部に対して４０〜６０°の角度で延びていることを特徴とする。
【０００９】
また、本発明の請求項３に記載のロールペーパーホルダーでは、ロールペーパーを回転自在に保持するホルダー本体部と、前記ホルダー本体部に上下方向に揺動自在に設けられ、前記ロールペーパーの上側を覆うカバー部と、を備え、繰り出された前記ロールペーパーが前記カバー部の先端により切断されるロールペーパーホルダーであって、
前記カバー部には開口部が設けられ、この開口部には、前記ロールペーパーを繰り出すための繰出し用ローラーが配設され、前記繰出し用ローラーは、前記ロールペーパーの外周面に支持されるとともに、前記カバー部に対して回転自在に且つ斜め方向に移動自在に構成され、前記繰出し用ローラーの両端部には一対の支持軸部が設けられ、前記カバー部には、前記一対の支持軸部がそれぞれ移動自在に受け入れられる一対の第１支持受け部及び一対の第２支持受け部が設けられ、前記一対の第１支持受け部はそれぞれ、前記カバー部の基端方向に且つ前記カバー部に対して斜め下方に延び、また前記一対の第２支持受け部はそれぞれ、前記カバー部の先端方向に且つ前記カバー部に対して斜め下方に延び、前記第１及び第２支持受け部の各上端部は相互に連通されており、
前記繰出し用ローラーを後方向に回転させると、前記一対の支持軸部がそれぞれ前記一対の第１支持受け部に沿って相対的に移動されることにより、前記カバー部が上方向に揺動されてその先端が前記ロールペーパーの外周面より離れ、この状態で前記ロールペーパーが前方向に回転され、また、前記繰出し用ローラーを前方向に回転させると、前記一対の支持軸部がそれぞれ前記一対の第２支持受け部に沿って相対的に移動されることにより、前記カバー部が上方向に揺動されてその先端が前記ロールペーパーの外周面より離れ、この状態で前記ロールペーパーが後方向に回転されることを特徴とする。
【００１０】
また、本発明の請求項４に記載のロールペーパーホルダーでは、前記一対の第１支持受け部及び前記一対の第２支持受け部はそれぞれ、前記カバー部に対して４０〜６０°の角度で延びていることを特徴とする。
【発明の効果】
【００１１】
本発明の請求項１に記載のロールペーパーホルダーによれば、ロールペーパーを繰り出すための繰出し用ローラーの両端部には一対の支持軸部が設けられ、カバー部には、一対の支持軸部がそれぞれ移動自在に受け入れられる一対の支持受け部が設けられ、一対の支持受け部はそれぞれカバー部に対して斜め方向に延びている。このように構成されているので、繰出し用ローラーを所定方向に回転させると、一対の支持軸部がそれぞれ一対の支持受け部に沿って相対的に移動されることにより、カバー部が上方向に揺動されてその先端がロールペーパーの外周面より離れ、この状態でロールペーパーが上記所定方向と反対方向に回転される。従って、ロールペーパーの回転時に、カバー部の先端によってロールペーパーに抵抗負荷が作用することがなく、ロールペーパーをスムーズに回転させることができる。
【００１２】
また、本発明の請求項２に記載のロールペーパーホルダーによれば、一対の支持受け部はそれぞれ、カバー部に対して４０〜６０°の角度で延びているので、繰出し用ローラーを所定方向に回転させる際に要する力が小さくて済むとともに、繰出し用ローラーから手指等を離した際に、カバー部がその自重により下方に揺動し易くなる。
【００１３】
また、本発明の請求項３に記載のロールペーパーホルダーによれば、ロールペーパーを繰り出すための繰出し用ローラーの両端部には一対の支持軸部が設けられ、カバー部には、一対の支持軸部がそれぞれ移動自在に受け入れられる一対の第１及び第２支持受け部が設けられている。一対の第１支持受け部はそれぞれカバー部の基端方向に且つカバー部に対して斜め下方に延び、また一対の第２支持受け部はそれぞれカバー部の先端方向に且つカバー部に対して斜め下方に延び、第１及び第２支持受け部の各上端部は相互に連通されている。このように構成されているので、繰出し用ローラーを後方向（又は前方向）に回転させると、一対の支持軸部がそれぞれ一対の第１支持受け部（又は一対の第２支持受け部）に沿って相対的に移動されることにより、カバー部が上方向に揺動されてその先端がロールペーパーの外周面より離れ、この状態でロールペーパーが前方向（又は後方向）に回転される。従って、ロールペーパーの回転時に、カバー部の先端によってロールペーパーに抵抗負荷が作用することがなく、ロールペーパーをスムーズに回転させることができる。また、繰出し用ローラーを後方向及び前方向のいずれの方向にも回転させることができ、利便性を高めることができる。
【００１４】
また、本発明の請求項４に記載のロールペーパーホルダーによれば、一対の第１及び第２支持受け部はそれぞれ、カバー部に対して４０〜６０°の角度で延びているので、繰出し用ローラーを後方向（又は前方向）に回転させる際に要する力が小さくて済むとともに、繰出し用ローラーから手指等を離した際に、カバー部がその自重により下方に揺動し易くなる。
【図面の簡単な説明】
【００１５】
【図１】本発明の第１の実施形態によるロールペーパーホルダーを示す斜視図である。
【図２】図１のロールペーパーホルダーの一部を分解して示す分解斜視図である。
【図３】ロールペーパーの残量が多い場合において、繰出し用ローラーを後方向に回転させる前の状態でのロールペーパーホルダーの断面図である。
【図４】ロールペーパーの残量が多い場合において、繰出し用ローラーを後方向に回転させた状態でのロールペーパーホルダーの断面図である。
【図５】ロールペーパーの残量が少ない場合において、繰出し用ローラーを後方向に回転させる前の状態でのロールペーパーホルダーの断面図である。
【図６】ロールペーパーの残量が少ない場合において、繰出し用ローラーを後方向に回転させた状態でのロールペーパーホルダーの断面図である。
【図７】本発明の第２の実施形態によるロールペーパーホルダーの断面図である。
【図８】繰出し用ローラーを後方向に回転させた状態でのロールペーパーホルダーの断面図である。
【図９】繰出し用ローラーが前方向に回転させた状態でのロールペーパーホルダーの断面図である。
【発明を実施するための形態】
【００１６】
以下、添付図面を参照して、本発明に従うロールペーパーホルダーの各種実施形態について説明する。
［第１の実施形態］
まず、図１〜図６を参照して、第１の実施形態のロールペーパーホルダーについて説明する。図１は、本発明の第１の実施形態によるロールペーパーホルダーを示す斜視図であり、図２は、図１のロールペーパーホルダーの一部を分解して示す分解斜視図であり、図３は、ロールペーパーの残量が多い場合において、繰出し用ローラーを後方向に回転させる前の状態でのロールペーパーホルダーの断面図であり、図４は、ロールペーパーの残量が多い場合において、繰出し用ローラーを後方向に回転させた状態でのロールペーパーホルダーの断面図であり、図５は、ロールペーパーの残量が少ない場合において、繰出し用ローラーを後方向に回転させる前の状態でのロールペーパーホルダーの断面図であり、図６は、ロールペーパーの残量が少ない場合において、繰出し用ローラーを後方向に回転させた状態でのロールペーパーホルダーの断面図である。
【００１７】
図１〜図３を参照して、本実施形態のロールペーパーホルダー２は、芯筒４の周囲にロール状に巻かれたロールペーパー６（例えばトイレットペーパー）を回転自在に保持するホルダー本体部８を備えている。このホルダー本体部８は、取付板１０と、取付板１０の両端部より前方向に延びる一対の側板１２と、を有している。取付板１０は、ネジや接着剤等を用いて例えばトイレ内の壁面等に取り付けられる。各側板１２の内側面における前方向の下端部には、支持アーム１４が設けられている。一対の支持アーム１４は相互に対向して配設されるとともに、側板１２より略水平方向に延びる支持位置（図１参照）と、側板１２に沿って折り畳まれる収納位置（図示せず）との間を揺動自在に構成されている。ロールペーパー６を交換する際には、ロールペーパー６を一対の側板１２の間に下方から差し入れ、その上端面で一対の支持アーム１４を押し上げて支持位置から収納位置に揺動させる。その後、一対の支持アーム１４が収納位置から支持位置に揺動してロールペーパー６の芯筒４内に挿入されることにより、ロールペーパー６が一対の支持アーム１４に回転自在に支持される。
【００１８】
各側板１２の内側面における後方向の上端部には、軸部材１６を介してカバー部１８が上下方向に揺動自在に支持されている。カバー部１８は略平板状に形成され、その先端部は下方に向けて弧状に湾曲されている。カバー部１８の先端２０は、繰り出されたロールペーパー６を切断するための切断部として機能する。
【００１９】
また、カバー部１８の奥行き方向（図３において左右方向）中央部よりもやや先端側には、矩形状の開口部２２が設けられている。開口部２２の両端部にはそれぞれ下方に延びる支持部２４が設けられ、これら一対の支持部２４は相互に対向して配設されている。支持部２４には長孔状の支持受け部２６が設けられ、この支持受け部２６は、カバー部１８の基端方向に且つカバー部１８に対して斜め下方に延びている。本実施形態では、支持受け部２６のカバー部１８に対する角度θ（図３参照）は５０°に設定されている。
【００２０】
カバー部１８の開口部２２には、ロールペーパー６を繰り出すための繰出し用ローラー２８が配設されている。繰出し用ローラー２８の両端部にはそれぞれ、その軸方向外側に延びる円柱状の支持軸部３０が設けられている。繰出し用ローラー２８の支持軸部３０は、支持部２４の支持受け部２６に移動自在に受け入れられており、これにより繰出し用ローラー２８は、ロールペーパー６の外周面に支持されるとともに、カバー部１８に対して回転自在に且つ斜め方向に移動自在に構成される。本実施形態では、繰出し用ローラー２８の直径ｄ（図３参照）は４０ｍｍに設定され、また支持軸部３０が支持受け部２６の上端部から下端部まで相対的に移動する距離ｌは１０ｍｍに設定されている。また、繰出し用ローラー２８の材質としては、グリップ性の高い材質、例えばウレタン樹脂等が好ましく、またその表面には、滑り止め加工を施すのが好ましい。
【００２１】
次に、図３〜図６をも参照して、本実施形態のロールペーパーホルダー２の使用方法について説明する。まず、図３及び図４を参照して、ロールペーパー６の残量が多い状態においてロールペーパー６を繰り出す場合について説明する。ロールペーパー６を繰り出す前の状態では、図３に示すように、カバー部１８は略水平方向に延び、その先端２０はロールペーパー６の外周面に接触される。このとき、繰出し用ローラー２８の支持軸部３０は支持受け部２６の上端部に位置付けられる。また、繰出し用ローラー２８は、ロールペーパー６の頂部よりもやや前側に支持される。
【００２２】
ロールペーパー６を繰り出す際には、繰出し用ローラー２８を手指等で後方向（図３中の矢印Ａで示す方向）に押し込みながら、所定方向（図４中の矢印Ｂで示す方向）に回転させる。このように繰出し用ローラー２８を押し込むと、図４に示すように、支持軸部３０が支持受け部２６に沿ってその上端部から下端部に相対的に移動しながらカバー部１８を持ち上げる。このようにして、カバー部１８が所謂梃子の原理によって上方（図３中の矢印Ｃで示す方向）に揺動され、カバー部１８の先端２０がロールペーパー６の外周面から離れるようになる。この状態で繰出し用ローラー２８を上記所定方向に回転させると、繰出し用ローラー２８とロールペーパー６との間の摩擦によって、ロールペーパー６が上記所定方向とは反対方向（図４中の矢印Ｄで示す方向）に回転され、ロールペーパー６の先端部３２が垂れ下がるようになる。このとき、カバー部１８の先端２０はロールペーパー６の外周面から離れているので、ロールペーパー６の回転時に、カバー部１８の先端２０によってロールペーパー６に抵抗負荷が作用することがなく、ロールペーパー６をスムーズに回転させることができる。
【００２３】
その後に、繰出し用ローラー２８から手指等を離すと、カバー部１８がその自重によって下方（図４中の矢印Ｅで示す方向）に揺動され、図３に示すように、カバー部１８の先端２０がロールペーパー６の外周面に接触される。これに伴って、繰出し用ローラー２８が前方向（図４中の矢印Ｆで示す方向）に押し戻され、支持軸部３０が支持受け部２６に沿ってその下端部から上端部に相対的に移動される。この状態で、垂れ下がったロールペーパー６の先端部３２を手指で摘んでロールペーパー６を繰り出し、カバー部１８を手で押さえながらロールペーパー６をカバー部１８の先端２０で切断する。
【００２４】
次に、図５及び図６を参照して、ロールペーパー６の残量が少ない多い状態でロールペーパー６を繰り出す場合について説明する。ロールペーパー６を繰り出す前の状態では、図５に示すように、カバー部１８は斜め下方に延び、カバー部１８の先端２０はロールペーパー６の外周面に接触される。このとき、繰出し用ローラー２８の支持軸部３０は、支持受け部２６の長手方向中央部に位置付けられる。
【００２５】
ロールペーパー６を繰り出す際には、上述したのと同様に、繰出し用ローラー２８を手指等で後方向（図５中の矢印Ｇで示す方向）に押し込みながら、所定方向（図６中の矢印Ｈで示す方向）に回転させる。このように繰出し用ローラー２８を押し込むと、図６に示すように、支持軸部３０が支持受け部２６に沿ってその長手方向中央部から下端部に相対的に移動しながらカバー部１８を持ち上げる。これにより、カバー部１８が上方（図５中の矢印Ｉで示す方向）に揺動され、カバー部１８の先端２０がロールペーパー６の外周面から離れるようになる。この状態で繰出し用ローラー２８を上記所定方向に回転させると、繰出し用ローラー２８とロールペーパー６との間の摩擦によって、ロールペーパー６が上記所定方向とは反対方向（図６中の矢印Ｊで示す方向）に回転され、ロールペーパー６の先端部３２が垂れ下がるようになる。
【００２６】
また、繰出し用ローラー２８から手指等を離すと、カバー部１８がその自重によって下方（図６中の矢印Ｋで示す方向）に揺動され、図５に示すように、カバー部１８の先端２０がロールペーパー６の外周面に接触される。これに伴って、繰出し用ローラー２８が前方向（図６中の矢印Ｌで示す方向）に押し戻され、支持軸部３０が支持受け部２６に沿ってその下端部から長手方向中央部に相対的に移動される。このようにして、上述したのと同様にロールペーパー６を繰り出すことができる。
【００２７】
なお、繰出し用ローラー２８を後方向にスムーズに押し込みながら回転させるためには、カバー部１８に対する支持受け部２６の角度θは４０〜６０°であるのが好ましく、４５〜５５°であるのがより好ましい。角度θが４０°よりも小さいと、繰出し用ローラー２８を回転させた後に繰出し用ローラー２８から手指等を離した際に、カバー部１８がその自重により下方に揺動し難くなる。また、角度θが６０°よりも大きいと、繰出し用ローラー２８を後方向に押し込みながら回転させるのに要する力が大きくなり、カバー部１８を上方にスムーズに揺動させることができない。
［第２の実施形態］
次に、図７〜図９を参照して、第２の実施形態のロールペーパーホルダーについて説明する。図７は、本発明の第２の実施形態によるロールペーパーホルダーの断面図であり、図８は、繰出し用ローラーを後方向に回転させた状態でのロールペーパーホルダーの断面図であり、図９は、繰出し用ローラーが前方向に回転させた状態でのロールペーパーホルダーの断面図である。なお、本実施形態において、上記実施形態と実質上同一の構成要素には同一の符号を付し、その説明を省略する。
【００２８】
図７を参照して、本実施形態のロールペーパーホルダー２Ａでは、支持部２４Ａには、カバー部１８Ａの基端方向に且つカバー部１８Ａに対して斜め下方に延びる第１支持受け部３４と、カバー部１８Ａの先端方向に且つカバー部１８Ａに対して斜め下方に延びる第２支持受け部３６とが設けられている。これら第１及び第２支持受け部３４，３６の各上端部は相互に連通されており、これにより第１及び第２支持受け部３４，３６は全体として略逆Ｖ字状に形成されている。本実施形態では、カバー部１８Ａに対する第１支持受け部３４の角度θ１及びカバー部１８Ａに対する第２支持受け部３６の角度θ２はそれぞれ５０°に設定されている。また、支持軸部３０が第１支持受け部３４の上端部から下端部まで相対的に移動する距離及び第２支持受け部３６の上端部から下端部まで相対的に移動する距離はそれぞれ１０ｍｍに設定されている。
【００２９】
本実施形態のロールペーパーホルダー２Ａでは、繰出し用ローラー２８を後方向及び前方向のいずれにも押し込みながら回転させることができる。ロールペーパー６を繰り出す前の状態では、図７に示すように、カバー部１８Ａは略水平方向に延び、その先端２０はロールペーパー６の外周面に接触される。このとき、繰出し用ローラー２８の支持軸部３０は、第１及び第２支持受け部３４，３６の各上端部に位置付けられる。
【００３０】
なお、本実施形態では、カバー部１８Ａが略水平方向に延びた状態において、ロールペーパー６の芯筒４の中心と支持軸部３０の中心とを結ぶ直線の水平方向に対する角度φ（図７参照）は、７０°に設定されている。この角度φは７０〜７５°に設定するのが好ましく、このように設定することにより、ロールペーパー６の使用によりその直径が減少するに従って、支持軸部３０は、ロールペーパー６の芯筒４の中心に向けて弧を描くように移動されるようになるので、後述するように繰出し用ローラー２８を後方向（又は前方向）に押し込みながら回転させた際に、繰出し用ローラー２８をロールペーパー６の外周面に確実に支持させることができる。また、ロールペーパー６の使用によりその直径が減少するに従って、第１支持受け部３４の水平に対する角度は比較的小さく、第２支持受け部３６の水平に対する角度は比較的大きくなるので、後述するように繰出し用ローラー２８を後方向（又は前方向）に押し込みながら回転させるのが容易となる。上記第１の実施形態においても、角度φを７０〜７５°に設定することにより、上述した作用効果が達成される。
【００３１】
まず、図７及び図８を参照して、繰出し用ローラー２８を後方向（図７中の矢印Ｍで示す方向）に押し込みながら回転させる方法について説明する。ロールペーパー６を繰り出す際には、繰出し用ローラー２８を手指等で後方向に押し込みながら、所定方向（後方向、図８中の矢印Ｎで示す方向）に回転させる。このように繰出し用ローラー２８を押し込むと、図８に示すように、支持軸部３０が第１支持受け部３４に沿ってその上端部から下端部に相対的に移動しながらカバー部１８Ａを持ち上げる。これにより、カバー部１８Ａが上方（図７中の矢印Ｏで示す方向）に揺動され、カバー部１８Ａの先端２０がロールペーパー６の外周面から離れるようになる。この状態で繰出し用ローラー２８を上記所定方向に回転させると、繰出し用ローラー２８とロールペーパー６との間の摩擦によって、ロールペーパー６が上記所定方向とは反対方向（前方向、図８中の矢印Ｐで示す方向）に回転され、ロールペーパー６の先端部３２が垂れ下がるようになる。
【００３２】
その後に、繰出し用ローラー２８から手指等を離すと、カバー部１８Ａがその自重によって下方（図８中の矢印Ｑで示す方向）に揺動され、図７に示すように、カバー部１８Ａの先端がロールペーパー６の外周面に接触される。これに伴って、繰出し用ローラー２８が前方向（図８中の矢印Ｒで示す方向）に押し戻され、支持軸部３０が第１支持受け部３４に沿ってその下端部から上端部に相対的に移動される。
【００３３】
次に、図７及び図９を参照して、繰出し用ローラー２８を前方向（図７中の矢印Ｓで示す方向）に押し込みながら回転させる方法について説明する。ロールペーパー６を繰り出す際には、繰出し用ローラー２８を手指等で前方向に押し込みながら、所定方向（前方向、図９中の矢印Ｔで示す方向）に回転させる。このように繰出し用ローラー２８を押し込むと、図９に示すように、支持軸部３０が第２支持受け部３６に沿ってその上端部から下端部に相対的に移動しながらカバー部１８Ａを持ち上げる。これにより、カバー部１８Ａが上方（図７中の矢印Ｏで示す方向）に揺動され、カバー部１８Ａの先端２０がロールペーパー６の外周面から離れるようになる。この状態で繰出し用ローラー２８を上記所定方向に回転させると、繰出し用ローラー２８とロールペーパー６との間の摩擦によって、ロールペーパー６が上記所定方向とは反対方向（後方向、図９中の矢印Ｕで示す方向）に回転され、ロールペーパー６の先端部３２がその自重で後方より垂れ下がるようになる。
【００３４】
その後に、繰出し用ローラー２８から手指等を離すと、カバー部１８Ａがその自重によって下方（図９中の矢印Ｖで示す方向）に揺動され、図７に示すように、カバー部１８Ａの先端２０がロールペーパー６の外周面に接触される。これに伴って、繰出し用ローラー２８が後方向（図９中の矢印Ｗで示す方向）に押し戻され、支持軸部３０が第２支持受け部３６に沿ってその下端部から上端部に相対的に移動される。
【００３５】
以上、本発明に従うロールペーパーホルダーの各種実施形態について説明したが、本発明はかかる実施形態に限定されるものではなく、本発明の範囲を逸脱することなく種々の変形乃至修正が可能である。
【００３６】
上記第１の実施形態では、繰出し用ローラー２８を後方向に押し込みながら回転させるように構成したが、前方向に押し込みながら回転させるように構成してもよい。このように構成した場合には、支持受け部２６は、カバー部１８の先端方向に且つカバー部１８に対して斜め下方に延びるように構成される。
【００３７】
また、上記各実施形態では、ロールペーパー６を芯筒４の周囲にロール状に巻かれるタイプのものから構成したが、芯筒４を有さずにロール状に巻かれる、所謂芯無しタイプのものから構成することもできる。
【００３８】
また、上記各実施形態では、ロールペーパーホルダー２をトイレットペーパーを繰り出して切断するためのものに適用したが、例えば事務用のロールペーパーを繰り出して切断するためのものにも適用することもできる。
【符号の説明】
【００３９】
２，２Ａ  ロールペーパーホルダー
６  ロールペーパー
８，８Ａ  ホルダー本体部
１８，１８Ａ  カバー部
２０  先端
２２  開口部
２６  支持受け部
２８  繰出し用ローラー
３０  支持軸部
３４  第１支持受け部
３６  第２支持受け部
【要約】
【課題】  繰出し用ローラーによってロールペーパーをスムーズに回転させることができるロールペーパーホルダーを提供する。
【解決手段】  ロールペーパー６を回転自在に保持するホルダー本体部８と、ホルダー本体部８に上下方向に揺動自在に設けられたカバー部１８と、を備える。カバー部１８に設けられた開口部２２には、ロールペーパー６を繰り出すための繰出し用ローラー２８が配設される。繰出し用ローラー２８は、ロールペーパー６の外周面に支持されるとともに、カバー部１８に対して回転自在に且つ斜め方向に移動自在に構成される。繰出し用ローラー２８の両端部には一対の支持軸部３０が設けられ、カバー部１８には、一対の支持軸部３０がそれぞれ移動自在に受け入れられる一対の支持受け部２６が設けられている。一対の支持受け部２６はそれぞれカバー部１８に対して斜め方向に延びている。
【選択図】  図４【図１】
0004601719.tif 000002
【図２】
0004601719.tif 000003
【図３】
0004601719.tif 000004
【図４】
0004601719.tif 000005
【図５】
0004601719.tif 000006
【図６】
0004601719.tif 000007
【図７】
0004601719.tif 000008
【図８】
0004601719.tif 000009
【図９】
0004601719.tif 000010